Podtech/llm-jp-corpus-v4-ja_patent huggingface dataset:
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
非バルビツール酸及び非ベンゾジアゼピン催眠薬からなる群から選択される少なくとも一つの化合物の催眠効果の短期間の強化のために使用される、メラトニン及び少なくとも一つの担体、希釈剤、コーティング又はアジュバントを含む医薬製剤。
【請求項２】
以下の特性：
（ａ）催眠薬がＧＡＢＡ−Ａ受容体変調剤である；
（ｂ）催眠薬が環状窒素を含む融合環系を含む化合物である；
（ｃ）薬剤又は医薬製剤が少なくとも一つの担体、希釈剤、コーティング又はアジュバントを含む；
（ｄ）薬剤又は医薬製剤がユニット用量形態中にある；
（ｅ）薬剤又は医薬製剤が非バルビツール酸及び非ベンゾジアゼピン催眠薬からなる群から選択される少なくとも一つの化合物を含む；
（ｆ）少なくとも一つの化合物がメラトニン不在の場合に副次的治療量であるはずの量にて上記薬剤又は医薬製剤中に存在する；
（ｇ）薬剤又は医薬製剤がメラトニンの徐放に適合されている
の少なくとも一つによりさらに特徴付けされる、請求項１記載の医薬製剤。
【請求項３】
医薬が、少なくとも一つのアクリル樹脂を含み、そしてメラトニンの徐放に適合されている、請求項２記載の医薬製剤。
【請求項４】
医薬が、さらに少なくとも一つの化合物の規則的な放出に適合されている、請求項３記載の医薬製剤。
【請求項５】
少なくとも一つの化合物が二環性融合環系を含む、請求項１乃至４の何れか１項記載の医薬製剤。
【請求項６】
二環性融合環系が少なくとも２つの環状窒素原子を含む、請求項５記載の医薬製剤。
【請求項７】
二環性融合環系がピラゾロ［１，５−ａ］ピリミジンスケルトン、イミダゾ［１，２−ａ］ピリジンスケルトン、ピロロ［３，４−ｂ］ピラジンスケルトン又はトリアゾロ［４，３−ａ］ピリジンスケルトンを含む、請求項６記載の医薬製剤。
【請求項８】
少なくとも一つの化合物がザレプロン、ゾルピデン、ゾピクロン及びトラゾドンからなる群から選択される、請求項７記載の医薬製剤。
【請求項９】
少なくとも一つの担体、希釈剤、コーティング又はアジュバントに加え、非バルビツール酸及び非ベンゾジアゼピン催眠薬からなる群から選択される少なくとも一つの化合物、及びメラトニンを、当該少なくとも一つの化合物の催眠効果の短期間の強化に有効な量及び形態にて含む医薬製剤。
【請求項１０】
以下の特性：
（ａ）催眠薬がＧＡＢＡ−Ａ受容体変調剤である；
（ｂ）催眠薬が環状窒素を含む融合環系を含む化合物である；
（ｃ）薬剤又は医薬製剤が少なくとも一つの担体、希釈剤、コーティング又はアジュバントを含む；
（ｄ）薬剤又は医薬製剤がユニット用量形態中にある；
（ｅ）薬剤又は医薬製剤が非バルビツール酸及び非ベンゾジアゼピン催眠薬からなる群から選択される少なくとも一つの化合物を含む；
（ｆ）少なくとも一つの化合物がメラトニン不在の場合に副次的治療量であるはずの量にて上記薬剤又は医薬製剤中に存在する；
（ｇ）薬剤又は医薬製剤がメラトニンの徐放に適合されている
の少なくとも一つによりさらに特徴付けされる、請求項９記載の医薬製剤。
【請求項１１】
医薬が、少なくとも一つのアクリル樹脂を含み、そしてメラトニンの徐放に適合されている、請求項１０記載の医薬製剤。
【請求項１２】
医薬が、さらに少なくとも一つの化合物の規則的な放出に適合されている、請求項１１記載の医薬製剤。
【請求項１３】
少なくとも一つの化合物が二環性融合環系を含む、請求項９乃至１２の何れか１項記載の医薬製剤。
【請求項１４】
二環性融合環系が少なくとも２つの環状窒素原子を含む、請求項１３記載の医薬製剤。
【請求項１５】
二環性融合環系がピラゾロ［１，５−ａ］ピリミジンスケルトン、イミダゾ［１，２−ａ］ピリジンスケルトン、ピロロ［３，４−ｂ］ピラジンスケルトン又はトリアゾロ［４，３−ａ］ピリジンスケルトンを含む、請求項１４記載の医薬製剤。
【請求項１６】
少なくとも一つの化合物がザレプロン、ゾルピデン、ゾピクロン及びトラゾドンからなる群から選択される、請求項１５記載の医薬製剤。
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005527502.tif 000001
［式中、
Ｒ１は、適宜置換されたシクロアルキル、適宜置換されたヘテロサイクリル、適宜置換されたアリール、または適宜置換されたヘテロアリールであり；
Ｒ２は、水素、ハロ、トリフルオロメチル、またはシアノであり；
Ｒ３は、適宜置換されたシクロアルキル、適宜置換されたアリール、適宜置換されたヘテロアリール、または適宜置換されたヘテロサイクリルであり；
Ｒ４およびＲ５は独立して、水素または適宜置換されたアシルであり；
ＴおよびＸは独立して、共有結合またはアルキルもしくはシクロアルキルで適宜置換された１〜３個の炭素原子のアルキレンであり；
Ｙは、−Ｏ−、−ＮＨ−、または共有結合であり；および
Ｚは、アルキルもしくはシクロアルキルで適宜置換された１〜３個の炭素原子のアルキレンである］
の化合物、またはその立体異性体、医薬的に許容される塩若しくはプロドラッグ。
【請求項２】
Ｒ２、Ｒ４、およびＲ５が水素であり、Ｙが−Ｏ−である、請求項１の化合物。
【請求項３】
Ｒ１が適宜置換されたヘテロサイクリルまたは適宜置換されたシクロアルキルであり、Ｘが共有結合である、請求項２の化合物。
【請求項４】
Ｒ３が適宜置換されたアリールまたは適宜置換されたヘテロアリールである、請求項３の化合物。
【請求項５】
Ｒ１が３−テトラヒドロフラニルであり、Ｚがメチレンである、請求項４の化合物。
【請求項６】
Ｒ３が５−メチルイソキサゾール−３−イルであり、Ｔがメチレンである、すなわち（４Ｓ，２Ｒ，３Ｒ，５Ｒ）−２−［（５−メチルイソキサゾール−３−イルオキシ）メチル］−５−［６−（テトラヒドロフラン−３−イルアミノ）プリン−９−イル］テトラヒドロフラン−３，４−ジオールである請求項５の化合物。
【請求項７】
Ｒ３が適宜置換されたフェニルであり、Ｔが共有結合である、請求項５の化合物。
【請求項８】
Ｒ３が２−フルオロフェニルである、すなわち、（４Ｓ，２Ｒ，３Ｒ，５Ｒ）−２−（２−フルオロフェノキシメチル）−５−［６−（テトラヒドロフラン−３−イルアミノ）−プリン−９−イル］−テトラヒドロフラン−３，４−ジオールである、請求項７の化合物。
【請求項９】
Ｒ３が２−クロロフェニルである、すなわち、（４Ｓ，２Ｒ，３Ｒ，５Ｒ）−２−（２−クロロフェノキシメチル）−５−［６−（テトラヒドロフラン−３−イルアミノ）−プリン−９−イル］−テトラヒドロフラン−３，４−ジオールである、請求項７の化合物。
【請求項１０】
Ｒ３が４−フルオロフェニルである、すなわち（４Ｓ，２Ｒ，３Ｒ，５Ｒ）−２−（４−フルオロフェノキシメチル）−５−［６−（テトラヒドロフラン−３−イルアミノ）−プリン−９−イル］−テトラヒドロフラン−３，４−ジオールである、請求項７の化合物。
【請求項１１】
Ｒ３が３−フルオロフェニルである、すなわち、（４Ｓ，２Ｒ，３Ｒ，５Ｒ）−２−（３−フルオロフェノキシメチル）−５−［６−（テトラヒドロフラン−３−イルアミノ）−プリン−９−イル］−テトラヒドロフラン−３，４−ジオールである、請求項７の化合物。
【請求項１２】
Ｒ３が２−メチルフェニルである、すなわち、（４Ｓ，２Ｒ，３Ｒ，５Ｒ）−２−（２−メチルフェノキシメチル）−５−［６−（テトラヒドロフラン−３−イルアミノ）−プリン−９−イル］−テトラヒドロフラン−３，４−ジオールである、請求項７の化合物。
【請求項１３】
Ｒ１がシクロペンチルである、請求項４の化合物。
【請求項１４】
Ｒ３が２−フルオロフェニルであり、Ｔが共有結合であり、Ｚがメチレンである、すなわち、（４Ｓ，２Ｒ，３Ｒ，５Ｒ）−２−（２−フルオロフェノキシメチル）−５−［６−シクロペンチルアミノプリン−９−イル］ −テトラヒドロフラン−３，４−ジオールである、請求項１３の化合物。
【請求項１５】
Ｒ３がフェニルであり、Ｔがメチレンであり、Ｚがエチレンである、すなわち、（４Ｓ，２Ｒ，３Ｒ，５Ｒ）−２−［６−（シクロペンチルアミノ）プリン−９−イル］−５−［２−（フェニルメトキシ）−エチル］テトラヒドロフラン−３，４−ジオールである、請求項１３の化合物。
【請求項１６】
Ｒ１が（３−クロロ−２−チエニル）−２−ブチルであり、Ｒ２が２−フルオロフェニルであり、Ｔが共有結合であり、Ｚがメチレンである、すなわち、（４Ｓ，２Ｒ，３Ｒ，５Ｒ）−２−［（５−（２−フルオロフェニルオキシ）メチル］−２−［６−［（３−クロロ−２−チエニル）メチル］プロピル｝アミノ）プリン−９−イル］テトラヒドロフラン−３，４−ジオールである、請求項４の化合物。
【請求項１７】
Ｒ２、Ｒ４、およびＲ５が水素であり、Ｙが−ＮＨ−である、請求項１の化合物。
【請求項１８】
Ｒ１が適宜置換されたヘテロサイクリルであり、Ｘが共有結合であり、Ｚがメチレンである、請求項１７の化合物。
【請求項１９】
Ｒ３が適宜置換されたヘテロアリールである、請求項１８の化合物。
【請求項２０】
Ｒ１が３−テトラヒドロフラニルであり、Ｒ３が３−メチルイソキサゾリン−５−イルであり、Ｔが共有結合である、すなわち、２−（３−メチルイソキサゾール−５−イルアミノメチル）−５−［６−シクロペンチルアミノプリン−９−イル］−テトラヒドロフラン−３，４−ジオールである、請求項１９の化合物。
【請求項２１】
請求項１〜２０のいずれかの化合物からなる、部分的または全Ａ１アデノシン受容体アゴニストを用いた処置で軽減される病状の治療剤。
【請求項２２】
該病状が、心房細動、上室頻脈および心房粗動、うっ血性心不全、てんかん、脳卒中、糖尿病、肥満症、虚血、安定狭心症、不安定狭心症、心臓移植、並びに心筋梗塞から選択される、請求項２１の治療剤。
【請求項２３】
該病状が高脂血症である、請求項２１の治療剤。
【請求項２４】
少なくとも１つの医薬的に許容される賦形剤および請求項１〜２０のいずれかの化合物を含む医薬組成物。
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
ドコサヘキサエン酸（ＤＨＡ）およびローズマリーを含む、コビーズレット。
【請求項２】
前記ビーズレットが無臭である、請求項１に記載のコビーズレット。
【請求項３】
前記ＤＨＡが藻類からの発酵によって得られる、請求項１に記載のコビーズレット。
【請求項４】
ローズマリー以外の少なくとも１つの酸化防止剤をさらに含む、請求項１に記載のコビーズレット。
【請求項５】
請求項１に記載のコビーズレットであって、前記ＤＨＡの濃度が約０．１％〜約５０％であって、前記ローズマリーの濃度が約０．１％〜約５０％である、コビーズレット。
【請求項６】
約７％〜約２５％のＤＨＡおよび約２％〜約２０％のローズマリーを含む、請求項５に記載のコビーズレット。
【請求項７】
哺乳動物における眼の健康を維持または改善するための組成物であって、該組成物は、コビーズレットを含み、該コビーズレットは、ＤＨＡおよびローズマリーを含む、組成物。
【請求項８】
請求項７に記載の組成物であって、該組成物が、約０．１％〜約５０％のＤＨＡおよび約０．１％〜約５０％のローズマリーを含む、組成物。
【請求項９】
請求項８に記載の組成物であって、該組成物が錠剤の形態である、組成物。
【請求項１０】
請求項１に記載のコビーズレットを含む、錠剤。
【請求項１１】
請求項１０に記載の錠剤であって、コビーズレットの外側の賦形剤として、少なくとも３ｍｇのローズマリーオイルをさらに含む、錠剤。
【請求項１２】
請求項１１に記載の錠剤であって、前記錠剤が少なくとも５ｍｇのローズマリーオイルを含む、錠剤。
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
下記の化学式：
【化１】
2005527558.tif 000001
［ここで、Ｙ１及びＹ２は、同一又は相違してもよく、それぞれが水素及びヒドロキシ保護基から成る群から選ばれ、ここで、Ｒ１１及びＲ１２はそれぞれが水素であるか、又は一まとめにした場合、メチレン基であり、ここでＲ６及びＲ７は、同一又は相違してもよく、Ｒ６及びＲ７の両方が水素であってはならないという条件で、水素、アルキル、ヒドロキシアルキル、フルオロアルキル、ヒドロキシ及びアルコキシから成る群から選ばれ、又はＲ６及びＲ７は、一まとめにした場合、基−（ＣＨ２）Ｘ−を示し、ここでＸは２〜５の整数であり、又はＲ６及びＲ７は、一まとめにした場合、基＝ＣＲ８Ｒ９を示し、ここでＲ８及びＲ９は、同一又は相違してもよく、それぞれが水素、アルキル、ヒドロキシアルキル、フルオロアルキル、ヒドロキシ及びアルコキシから成る群から選ばれ、又は、一まとめにした場合、Ｒ８及びＲ９は、基−（ＣＨ２）Ｘ−を示してもよく、ここでＸは２〜５の整数であり、そして、ここで基Ｒは
【化２】
2005527558.tif 000002
を示し、ここで立体化学中心（ステロイド番号のＣ−２０に相当する）はＲ又はＳの立体配置（即ち、炭素２０の周りの天然立体配置（ｎａｔｕｒａｌ  ｃｏｎｆｉｇｕｒａｔｉｏｎ）又は前記２０−エピ立体配置のどちらか）を有してもよく、そして、ここでＺはＹ、−ＯＹ、−ＣＨ２ＯＹ、−Ｃ≡ＣＹ及びＣＨ＝ＣＨＹから成る群から選ばれ、ここで二重結合はシス又はトランスのジオメトリーを有してもよく、そして、ここでＹは水素、メチル、−ＣＯＲ５及び下記構造
【化３】
2005527558.tif 000003
のラジカルから選ばれ、ここでｍ及びｎは、独立して０〜５の整数を示し、ここでＲ１は水素、重水素、ヒドロキシ、保護ヒドロキシ、フルオロ、トリフルオロメチル、及びＣ１−５−アルキルから選ばれて、直鎖又は分枝鎖であってもよく、そして任意にヒドロキシ又は保護ヒドロキシ置換基を有し、そして、ここでＲ２、Ｒ３、及びＲ４のそれぞれは独立して重水素、デューテロアルキル、水素、フルオロ、トリフルオロメチル及びＣ１−５−アルキルから選ばれて、直鎖又は分枝鎖であってもよく、そして任意にヒドロキシ又は保護ヒドロキシ置換基を有し、そして、ここでＲ１及びＲ２は、一まとめにした場合、オキソ基、又はアルキリデン基、＝ＣＲ２Ｒ３、又は基−（ＣＨ２）ｐ−を示し、ここでｐは２〜５の整数であり、そして、ここでＲ３及びＲ４は、一まとめにした場合、オキソ基、又は基−（ＣＨ２）ｑ−を示し、ここでｑは２〜５の整数であり、そして、ここでＲ５は水素、ヒドロキシ、保護ヒドロキシ、又はＣ１−５−アルキルを示し、そして、ここで側鎖の位置２０、２２、又は２３において、前記ＣＨ基のいずれかが窒素原子で置換されてもよく、又は、ここで位置２０、２２、又は２３において、−ＣＨ（ＣＨ３）−、−（ＣＨ２）ｍ−、−ＣＲ１Ｒ２−又は（ＣＨ２）ｎ−の基のいずれかが酸素又は硫黄原子で置換されてもよい］
を有する化合物の治療的に有効量を含む、哺乳動物の新しい骨の成長を刺激するための製剤。
【請求項２】
前記化合物が経口的に、非経口的に、経皮的、又は局所的に投与される、請求項１記載の製剤。
【請求項３】
前記化合物が新しい骨の成長が望まれる部位において、固定化した形体で投与される、請求項１記載の製剤。
【請求項４】
前記化合物が新しい骨の成長が望まれる部位において、遅延放出形体で投与される、請求項１記載の製剤。
【請求項５】
前記化合物が製剤の０．０１μｇ／ｇｍないし５０μｇ／ｇｍの量で製剤中に存在する、請求項１に記載の製剤。
【請求項６】
前記哺乳動物がヒトである、請求項１記載の製剤。
【請求項７】
前記投与化合物が下記の化学式：
【化４】
2005527558.tif 000004
を有する２−メチレン−１９−ノル−２０（Ｓ）−１α，２５−ジヒドロキシビタミンＤ３である、請求項１記載の製剤。
【請求項８】
前記投与化合物が下記の化学式：
【化５】
2005527558.tif 000005
［ここで、Ｙ１及びＹ２は独立して、Ｒ５が−ＯＹ３であり、そしてＹ３がアシル又はヒドロカルビルオキシカルボニルから成る群から選ばれるという条件で、水素又はアシル基を示す］
を有するアシル化誘導体である、請求項１記載の製剤。
【請求項９】
前記化合物がＹ１、Ｙ２及びＹ３がそれぞれＣＨ３ＣＯ−であるようなトリアセテートである、請求項８記載の製剤。
【請求項１０】
前記化合物がＹ１、Ｙ２及びＹ３がそれぞれＣＨ３（ＣＨ２）４ＣＯ−であるようなトリヘキサノエートである、請求項８記載の製剤。
【請求項１１】
前記化合物がＹ１、Ｙ２及びＹ３がそれぞれＣＨ３（ＣＨ２）７ＣＯ−であるようなトリノナノエートである、請求項８記載の製剤。
【請求項１２】
前記化合物がＹ１及びＹ２が共に水素であり、そしてＹ３がＣＨ３ＣＯ−であるような２５−アセテートである、請求項８記載の製剤。
【請求項１３】
前記化合物が２−メチレン−１９−ノル−１α，２５（ＯＨ）２−Ｄ３−１，３，２５−トリアセテート、２−メチレン−１９−ノル−１α，２５（ＯＨ）２−Ｄ３−１，３，２５−トリヘキサノエート、２−メチレン−１９−ノル−１α，２５（ＯＨ）２−Ｄ３−１，３，２５−トリノナノエート、及び２−メチレン−１９−ノル−１α，２５（ＯＨ）２−Ｄ３−２５−アセテートから成る群から選択される、請求項８記載の製剤。
【請求項１４】
前記投与化合物が、
【化６】
2005527558.tif 000006
［ここで、Ｙ１、Ｙ２、Ｒ１１、Ｒ１２及びＲは請求項１で定義されたものであり、そしてＲ８及びＲ９は、同一又は相違してもよく、それぞれが水素、アルキル、ヒドロキシアルキル及びフルオロアルキルから成る群から選ばれ、又は、一まとめにした場合、基−（ＣＨ２）Ｘ−を示し、ここでＸは２〜５の整数である］
から成る群から選ばれる、請求項１記載の製剤。
【請求項１５】
前記投与化合物が、
【化７】
2005527558.tif 000007
［ここで、Ｙ１、Ｙ２、Ｒ１１、Ｒ１２及びＲは請求項１で定義されたものであり、そしてＲ１０はアルキル、ヒドロキシアルキル及びフルオロアルキルから成る群から選ばれる］
から成る群から選ばれる、請求項１記載の製剤。
【請求項１６】
前記投与化合物が、
【化８】
2005527558.tif 000008
［ここで、Ｙ１、Ｙ２、Ｒ１１、Ｒ１２、Ｒ６、Ｒ７及びＲは、Ｒ５が−ＯＹ３であり、そしてＹ３がアシル又はヒドロカルビルオキシカルボニルから成る群から選ばれるという条件で、請求項１で定義されたものである］
から成る群から選ばれる、請求項１記載の製剤。
【請求項１７】
前記化合物が骨折若しくは骨移植の治癒、骨中のインプラントの凝固、歯科インプラントの骨同化、又は歯周骨を刺激するために投与される、請求項１記載の製剤。
【請求項１８】
前記化合物が骨延長術（ｄｉｓｔｒａｃｔｉｏｎ  ｏｓｔｅｏｇｅｎｅｓｉｓ）の処置の後に投与される、請求項１記載の製剤。
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
一般式(I)：
【化１】
2005527593.tif 000001
［式中、
Aは、一般式N-R1(ここで、R1は水素原子か、または１以上のフッ素原子で任意に置換されていてもよい直鎖もしくは分枝鎖状の(C1〜C7)アルキル基か、または(C4〜C7)シクロアルキル基、または(C3〜C7)シクロアルキル(C1〜C3)アルキル基、または1または2のヒドロキシもしくはメトキシ基で任意に置換されていてもよいフェニル(C1〜C3)アルキル基、または(C2〜C4)アルケニル基、または(C2〜C4)アルキニル基のいずれかを表す)の基か、
または、一般式N+(O-)R1 (ここでR1は上記で定義したとおりである)の基か、
または、代わりに、一般式N+(R')R1 (ここでR'は直鎖または分枝鎖状の(C1〜C7)アルキル基を表し、R1は上記で定義したとおりである)の基のいずれかを表し、
Xは、水素原子またはハロゲン原子ならびにトリフルオロメチル、直鎖もしくは分枝鎖状の(C1〜C4)アルキルおよび(C1〜C4)アルコキシ基から選択される1以上の置換基を表し、
R2は、水素原子か、あるいはハロゲン原子ならびにトリフルオロメチル、(C1〜C4)アルキルもしくは(C1〜C4)アルコキシ基か、または一般式NR3R4 (ここで、R3およびR4は、それぞれ互いに独立して、水素原子もしくは(C1〜C4)アルキルを表すか、またはそれらを有する窒素原子と共にピロリジン、ピペリジン、もしくはモルホリン環を形成する)のアミノ基から選択される1以上の置換基か、あるいは上記の記号Xで定義したような1つの原子もしくは1つの基で任意に置換されていてもよいフェニル基のいずれかを表す］
に対応し、遊離塩基または酸との付加塩の形態での、純粋な光学的異性体(1R,2R)または(1S,2S)の形態またはトレオジアステレオ異性体の形態にある化合物。
【請求項２】
Aが、一般式N-R1(ここで、R1は水素原子を表す)の基を表し；
Xが、水素原子か、またはハロゲン原子ならびにトリフルオロメチル、直鎖もしくは分枝鎖状の(C1〜C4)アルキルおよび(C1〜C4)アルコキシ基から選択される1以上の置換基を表し；
R2が、水素原子か、あるいはハロゲン原子ならびにトリフルオロメチル、(C1〜C4)アルキルもしくは(C1〜C4)アルコキシ基か、または一般式NR3R4 (ここで、R3およびR4は、それぞれ互いに独立して、水素原子もしくは(C1〜C4)アルキル基を表すか、またはそれらを有する窒素原子と共にピロリジン、ピペリジン、もしくはモルホリン環を形成する)のアミノ基から選択される1以上の置換基か、あるいは上記の記号Xで定義したような1つの原子もしくは1つの基で任意に置換されていてもよいフェニル基のいずれかを表す
ことを特徴とする請求項１に記載の化合物。
【請求項３】
Aが、一般式N-R1(ここで、R1はメチル基を表す)を表し；
Xが、水素原子であり；
R2が、請求項１で定義したとおりである；
ことを特徴とする請求項１に記載の化合物。
【請求項４】
立体配置(1S,2S)を有し、R2が1以上のハロゲン原子またはトリフルオロメチル基を表すことを特徴とする、請求項１に記載の化合物。
【請求項５】
立体配置(1R,2R)を有し、R2が請求項１で定義したようにハロゲン原子および一般式NR3R4のアミノ基を表すことを特徴とする、請求項１に記載の化合物。
【請求項６】
−  トレオ-2-クロロ-N-[(1-エチルピペリジン-2-イル)フェニルメチル]-3-トリフルオロメチルベンズアミド 塩酸塩；
−  トレオ-2-クロロ-N-[(1-エチルピペリジン-2-イル)フェニルメチル]-3-トリフルオロメチルベンズアミド；
−  2-クロロ-N-[(1S)-[(2S)-1-メチルピペリジン-2-イル]フェニルメチル]-3-トリフルオロメチルベンズアミド 塩酸塩；
−  2-クロロ-N-[(1S)-[(2S)-1-メチルピペリジン-2-イル]フェニルメチル]-3-トリフルオロメチルベンズアミド；
−  トレオ-4-アミノ-3-クロロ-n-[(1-メチルピペリジン-2-イル)フェニルメチル]-5-トリフルオロメチルベンズアミド 塩酸塩；
−  トレオ-4-アミノ-3-クロロ-n-[(1-メチルピペリジン-2-イル)フェニルメチル]-5-トリフルオロメチルベンズアミド；
−  4-アミノ-3-クロロ-N-[(1R)-[(2R)-1-メチルピペリジン-2-イル]フェニルメチル]-5-トリフルオロメチルベンズアミド 塩酸塩；
−  4-アミノ-3-クロロ-N-[(1R)-[(2R)-1-メチルピペリジン-2-イル]フェニルメチル]-5-トリフルオロメチルベンズアミド；
−  トレオ-2-クロロ-N-[フェニル(ピペリジン-2-イル)メチル]-3-トリフルオロメチルベンズアミド 塩酸塩；
−  トレオ-2-クロロ-N-[フェニル(ピペリジン-2-イル)メチル]-3-トリフルオロメチルベンズアミド；
−  2-クロロ-N-[(S)-フェニル-[(2S)-ピペリジン-2-イル]メチル]-3-(トリフルオロメチル)ベンズアミド 塩酸塩；
−  2-クロロ-N-[(S)-フェニル-[(2S)-ピペリジン-2-イル]メチル]-3-(トリフルオロメチル)ベンズアミド；
−  2-クロロ-N-[[1-メチル-1-オキシド-ピペリジン-2-イル](フェニル)メチル]-3-トリフルオロメチルベンズアミド；
−  ヨウ化 (2S)-2[(1S)-[[2-クロロ-3-(トリフルオロメチル)ベンゾイル]アミノ](フェニル)メチル]-1,1-ジメチルピペリジニウム；
の中から選択される請求項１に記載の化合物。
【請求項７】
請求項１〜６のいずれか１つに記載の化合物を含むことを特徴とする医薬組成物。
【請求項８】
請求項１〜６のいずれか一つに記載の化合物を含む、痴呆、精神病、精神分裂症(不完全型および生産型)と関連する行動障害の治療、不安の種々の形態の治療、精神病性うつ病を含むうつ病の種々の形態の治療、アルコール中毒またはアルコール禁断症状、性的行動障害または摂食障害による障害の治療、片頭痛の治療、強度および/または慢性疼痛の治療、パーキンソン病の治療、てんかんおよび他の抗てんかん処置の補足としてのその他の癲癇性症候群の治療用の医薬組成物。
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
過体重対象者の体重を減少させる方法であって、
ゾニサミドを含む医薬組成物を、過体重対象者の体重を減少させるのに有効で、前記体重減少が有意かつ持続的である量で前記対象者に投与することを含む方法。
【請求項２】
ゾニサミドの前記有効量は、約５０〜約１０００ｍｇ／日の範囲内である、請求項１に記載の方法。
【請求項３】
ゾニサミドの前記有効量は、約１００〜約６００ｍｇ／日の範囲内である、請求項２に記載の方法。
【請求項４】
前記過体重対象者は、肥満対象者である、請求項１に記載の方法。
【請求項５】
前記医薬組成物は、経口、非経口、局所、注射及び直腸投与からなる群より選択された経路により投与される、請求項１に記載の方法。
【請求項６】
前記医薬組成物は、前記対象者に対して経口投与される、請求項５に記載の方法。
【請求項７】
前記医薬組成物は、過体重の治療に一般的に用いられる他の治療法と組み合わせて投与される、請求項１に記載の方法。
【請求項８】
前記医薬組成物は、低カロリー食又は運動と組み合わせて投与される、請求項７に記載の方法。
【請求項９】
前記医薬組成物は、オルリスタット、フェンテルミン、シブトラミン、トピラメート又は塩酸シブトラミンと組み合わせて投与される、請求項７に記載の方法。
【請求項１０】
摂食障害の治療を必要とする対象者における摂食障害の治療のための医薬組成物の製造のためのゾニサミドの有効量の使用。
【請求項１１】
前記摂食障害は、むちゃ食い障害、神経性過食症又は神経性食欲不振症である、請求項１０に記載の使用。
【請求項１２】
ゾニサミドの前記有効量は、５０〜１０００ｍｇ／日の範囲内である、請求項１０に記載の使用。
【請求項１３】
ゾニサミドの前記有効量は、１００〜６００ｍｇ／日の範囲内である、請求項１２に記載の使用。
【請求項１４】
前記医薬組成物は、経口、非経口、局所、注射及び直腸投与からなる群より選択された経路により投与される、請求項１０に記載の使用。
【請求項１５】
前記医薬組成物は、前記対象者に対して経口投与される、請求項１４に記載の使用。
【請求項１６】
前記医薬組成物は、摂食障害の治療に一般的に使用される他の治療薬と組み合わせて投与される、請求項１０に記載の使用。
【請求項１７】
前記治療薬は、フルオキセチン、トピラメート又はオルリスタットである、請求項１６に記載の使用。
【請求項１８】
過体重対象者の体重を減少させる方法であって、
ゾニサミドを含む医薬組成物を、過体重対象者の体重減少を誘導するのに有効で、投薬療法中前記体重減少の誘導が持続する量で、前記対象者に投与することを含む方法。
【請求項１９】
ゾニサミドの前記有効量は、約５０〜約１０００ｍｇ／日の範囲内である、請求項１８に記載の方法。
【請求項２０】
ゾニサミドの前記有効量は、約１００〜約６００ｍｇ／日の範囲内である、請求項１９に記載の方法。
【請求項２１】
前記過体重対象者は、肥満対象者である、請求項１８に記載の方法。
【請求項２２】
前記医薬組成物は、経口、非経口、局所、注射及び直腸投与からなる群より選択された経路により投与される、請求項１８に記載の方法。
【請求項２３】
前記医薬組成物は、前記対象者に対して経口投与される、請求項２２に記載の方法。
【請求項２４】
前記医薬組成物は、過体重の治療に一般的に使用される他の治療法と組み合わせて投与される、請求項１８に記載の方法。
【請求項２５】
前記医薬組成物は、低カロリー食又は運動と組み合わせて投与される、請求項２４に記載の方法。
【請求項２６】
前記医薬組成物は、オルリスタット、フェンテルミン、シブトラミン、トピラメート又は塩酸シブトラミンと組み合わせて投与される、請求項２５に記載の方法。
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
(1)式I：
【化１】
2005527597.tif 000001
の2-[2-(1-クロロシクロプロピル)-3-(2-クロロフェニル)-2-ヒドロキシプロピル]-2,4-ジヒドロ-[1,2,4]-トリアゾール-3-チオン（プロチオコナゾール）またはその塩もしくは付加物と、以下の化合物：
(2)式II：
【化２】
2005527597.tif 000002
のボスカリド；
(3)式III：
【化３】
2005527597.tif 000003
のカルボキシン；
(4)式IV：
【化４】
2005527597.tif 000004
のメトラフェノン；
(5)式V：
【化５】
2005527597.tif 000005
の化合物；
(6)式VI：
【化６】
2005527597.tif 000006
の化合物；
(7)式VII：
【化７】
2005527597.tif 000007
のキノキシフェン；
(8)式VIII：
【化８】
2005527597.tif 000008
のジチアノン；
(9)式IX：
【化９】
2005527597.tif 000009
のチラム；
(10)式X：
【化１０】
2005527597.tif 000010
の塩化エピクオート；
(11)式XI：
【化１１】
2005527597.tif 000011
のシアゾファミド；
(12)式XII：
【化１２】
2005527597.tif 000012
のフェノキサニル；
(13)式XIII：
【化１３】
2005527597.tif 000013
の化合物；
(14)式XIV：
【化１４】
2005527597.tif 000014
のチオファネート-メチル；
(15)式XV：
【化１５】
2005527597.tif 000015
のカルベンダジム；
(16)式XVI：
【化１６】
2005527597.tif 000016
のメタラキシル；
(17)式XVII：
【化１７】
2005527597.tif 000017
のフルジオキソニル；
(18)式XVIII：
【化１８】
2005527597.tif 000018
のチアベンダゾール；
(19)式XIX：
【化１９】
2005527597.tif 000019
のキントゼン；
(20)式XX：
【化２０】
2005527597.tif 000020
のプロクロラズ；および
(21)式XXI：
【化２１】
2005527597.tif 000021
のアントラキノン
からなる群から選択される少なくとも１種のさらに別の殺菌性化合物とを相乗効果を有する量で含む、殺菌性混合物。
【請求項２】
式Iのプロチオコナゾールと式IIのニコビフェンとを含む、請求項１に記載の殺菌性混合物。
【請求項３】
式Iのプロチオコナゾールと式IIIのカルボキシンとを含む、請求項１に記載の殺菌性混合物。
【請求項４】
式Iのプロチオコナゾールと式IVのメトラフェノンとを含む、請求項１に記載の殺菌性混合物。
【請求項５】
式Iのプロチオコナゾールと、式II〜XXIの殺菌性化合物との重量比が20：１〜１：20である、請求項１に記載の殺菌性混合物。
【請求項６】
有害な菌の防除方法であって、有害な菌、それらの生息場所、またはそれらから防除しようとする植物、種子、土壌、地面、材料もしくは空間を、請求項１に記載の殺菌性混合物で処理することを含む前記方法。
【請求項７】
請求項１に記載の式Iの化合物と、請求項１に記載の式II〜XXIのうちの少なくとも１種の化合物とを、同時に、すなわち一緒にもしくは別々に、または逐次的に施用することを含む、請求項６に記載の方法。
【請求項８】
請求項１に記載の殺菌性混合物すなわち式Iの化合物と式II〜XXIのうちの少なくとも１種の化合物とを0.01〜8kg/haの量で施用する、請求項６または７に記載の方法。
【請求項９】
請求項１に記載の殺菌性混合物と、固形または液状の担体とを含む、殺菌性組成物。
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
α-ケトアルカン酸のエステル、α-ケトアルカン酸のアミドまたはα-ケトアルカン酸もしくはその塩を含む、被験体における腸閉塞の処置のための医薬組成物。
【請求項２】
α-ケトアルカン酸またはその塩を含む、被験体における腹部の手術後に生じる腸閉塞の処置のための医薬組成物。
【請求項３】
前記α-ケトアルカン酸がピルビン酸またはその生理的に許容されうる塩である請求項２記載の医薬組成物。
【請求項４】
前記α-ケトアルカン酸がC3〜C8直鎖もしくは分枝α-ケトアルカン酸またはその生理的に許容されうる塩である請求項２記載の医薬組成物。
【請求項５】
α-ケトアルカン酸のエステルを含む、被験体における腹部手術後に生じる腸閉塞の処置のための医薬組成物。
【請求項６】
前記α-ケトアルカン酸のエステルがC3〜C8直鎖または分枝α-ケトアルカン酸のエステルである請求項５記載の医薬組成物。
【請求項７】
前記α-ケトアルカン酸のエステルがアルキル、アラルキル、アルコキシアルキルまたはカルボアルコキシアルキルエステルである請求項５記載の医薬組成物。
【請求項８】
前記α-ケトアルカン酸のエステルがエチルエステルである請求項７記載の医薬組成物。
【請求項９】
前記α-ケトアルカン酸のエステルがピルビン酸のエステルである請求項５記載の医薬組成物。
【請求項１０】
前記α-ケトアルカン酸のエステルがピルビン酸エチルである請求項５記載の医薬組成物。
【請求項１１】
前記α-ケトアルカン酸のエステルが生理的に許容されうる担体に含まれる請求項５〜１０いずれか記載の医薬組成物。
【請求項１２】
前記α-ケトアルカン酸のエステルが生理的に許容されうる担体内に存在し、該担体は生理的に許容されうるエノール化剤をさらに含有する請求項５〜１０いずれか記載の医薬組成物。
【請求項１３】
前記エノール化剤が無機の二価カチオンである請求項１２記載の医薬組成物。
【請求項１４】
前記二価カチオンがカルシウムまたはマグネシウムである請求項１３記載の医薬組成物。
【請求項１５】
前記α-ケトアルカン酸エステルがグリセロールまたはジヒドロキシアセトンのエステルである請求項６記載の医薬組成物。
【請求項１６】
前記α-ケトアルカン酸エステルがチオールエステルである請求項６記載の医薬組成物。
【請求項１７】
前記チオールエステルのチオール部分がシステインまたはホモシステインである請求項１６記載の医薬組成物。
【請求項１８】
前記生理的に許容されうる担体が、カリウムイオンおよび／またはナトリウムイオンを含有するリンゲル等張性生理食塩水である請求項１２記載の医薬組成物。
【請求項１９】
前記α-ケトアルカン酸のエステルが、ピルビン酸エチル、ピルビン酸プロピル、ピルビン酸カルボメトキシメチル、ピルビン酸アセトキシメチル、ピルビン酸カルボエトキシメチメチル、ピルビン酸エトキシメチル、α-ケト-ブチル酸エチル、α-ケト-ペンタン酸エチル、α-ケト-3-メチル-ブチル酸エチル、α-ケト-4-メチル-ペンタン酸エチル、およびα-ケト-ヘキサン酸エチルからなる群より選ばれる請求項１２記載の医薬組成物。
【請求項２０】
前記α-ケトアルカン酸のエステルが溶液中にあり、該溶液がカルシウムおよびマグネシウムからなる群より選ばれるカチオンを含有する請求項１９記載の医薬組成物。
【請求項２１】
ピルビン酸エチルを含み、該ピルビン酸エチルが、生理的pH値でのピルビン酸エチルの安定なエノール化を誘導するためのカルシウムまたはマグネシウムの十分量を含有する生理的に許容されうる担体中にある、被験体における腹部手術後に生じる腸閉塞の処置のための医薬組成物。
【請求項２２】
α-ケトアルカン酸のアミドを含む、被験体における腹部手術後に生じる腸閉塞の処置のための医薬組成物。
【請求項２３】
前記α-ケトアルカン酸のアミド部分がピルブアミドまたはアミノ酸アミドである請求項２２記載の医薬組成物。
【請求項２４】
α-ケトアルカン酸のエステル、α-ケトアルカン酸のアミドまたはα-ケトアルカン酸もしくはその塩を含む、被験体における腹部の炎症から生じる腸閉塞、または被験体における麻酔剤もしくは抗癌剤の投与後に生じる腸閉塞の処置のための医薬組成物。
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
医薬上有効量のオキサゾリジノン抗生物質および医薬上許容される担体を含む、哺乳動物における糖尿病性足病変感染を治療するための経口または非経口の組成物。
【請求項２】
該哺乳動物がヒト、家畜動物および伴侶動物よりなる群から選択される請求項１記載の医薬組成物。
【請求項３】
該哺乳動物がヒトである請求項２記載の医薬組成物。
【請求項４】
素錠もしくはコーティング錠、カプセル剤、ロゼンジ、散剤、液剤、懸濁剤、乳剤、シロップ剤またはその組合せを含む請求項１記載の医薬組成物。
【請求項５】
オキサゾリジノンの医薬上有効量が、約２００ｍｇないし約９００ｍｇである請求項１記載の医薬組成物。
【請求項６】
オキサゾリジノンの医薬上有効量が、約５００ｍｇないし約７００ｍｇである請求項５記載の医薬組成物。
【請求項７】
オキサゾリジノンの医薬上有効量が、約６００ｍｇである請求項６記載の医薬組成物。
【請求項８】
さらに、第２の抗生物質の投与と組み合わせて該哺乳動物に投与される請求項１記載の医薬組成物。
【請求項９】
非抗生物質の投与と組み合わせて該哺乳動物に投与される請求項１記載の医薬組成物。
【請求項１０】
該第２の抗生物質が、アミノグリコシド、セファロスポリン、マクロライド、ペネム、キノロン、サルファ、テトラサイクリンおよびその組合せよりなる群から選択される請求項８記載の医薬組成物。
【請求項１１】
該第２の抗生物質が、成体につき１日当たり１〜１０ｍｇ／ｋｇで経口、非経口、静脈内または局所投与される請求項８記載の医薬組成物。
【請求項１２】
１ないし６０日間投与される請求項１記載の医薬組成物。
【請求項１３】
毎日２ないし４回投与される請求項１記載の医薬組成物。
【請求項１４】
該糖尿病性足病変感染が、破壊または破壊されていない皮膚下および発熱と関連し得る足の化膿性もしくは非化膿性の排膿または分泌、紅斑、波動、熱もしくは局在性の熱、触診に対する痛みもしくは圧痛、炎症性、赤みがかった、腫れた、硬化したまたは触ると痛い領域により明らかにされる請求項１記載の医薬組成物。
【請求項１５】
該感染が、ブドウ球菌、連鎖球菌、腸球菌またはその組合せにより惹起される請求項１記載の医薬組成物。
【請求項１６】
該感染が、ブドウ球菌により惹起される請求項１５記載の医薬組成物。
【請求項１７】
該感染が、メチシリン耐性黄色ブドウ球菌（ＭＲＳＡ）、バイコマイシン耐性腸球菌（ＶＲＥ）、グリコペプチド低感受性黄色ブドウ球菌（ＧＩＳＡ）およびバイコマイシン耐性黄色ブドウ球菌（ＶＩＳＡ）ならびにその組合せよりなる群から選択される細菌の耐性株により惹起される請求項１記載の医薬組成物。
【請求項１８】
該オキサゾリジノンが、式：
【化１】
2005527575.tif 000001
［式中、ｎは０、１または２；
Ｒは、
水素；
Ｆ、Ｃｌ、ヒドロキシ、Ｃ１−Ｃ８アルコキシ、Ｃ１−Ｃ８アシロキシまたは−ＣＨ２−フェニルよりなる群から選択される１以上の置換基で所望により置換されていてもよいＣ１−Ｃ８アルキル；
Ｃ３−Ｃ６シクロアルキル；
アミノ；
Ｃ１−Ｃ８アルキルアミノ；
Ｃ１−Ｃ８ジアルキルアミノ；および
Ｃ１−Ｃ８アルコキシよりなる群から選択され；
Ｒ３は各出現にて、独立して、Ｈ、ＣＨ３、ＣＮ、ＣＯ２Ｈ、ＣＯ２Ｒおよび（ＣＨ２）ｍＲ６よりなる群から選択され、ここに、ｍは１または２；
Ｒ４は各出現にて、独立して、Ｈ、ＦおよびＣｌよりなる群から選択され；
Ｒ５はＨまたはＣＨ３；
Ｒ６は、Ｈ、ＯＨ、ＯＲ、ＯＣＯＲ、ＮＨ２、ＮＨＣＯＲおよびＮ（Ｒ７）２よりなる群から選択され；および
Ｒ７は各出現にて、独立して、Ｈ、ｐ−トルエンスルホニル、ならびにＣｌ、Ｆ、ＯＨ、Ｃ１−Ｃ８アルコキシ、アミノ、Ｃ１−Ｃ８アルキルアミノおよびＣ１−Ｃ８ジアルキルアミノよりなる群から選択された１以上の置換基で所望により置換されていてもよいＣ１−Ｃ４アルキルよりなる群から選択される］
またはその医薬上許容される塩である請求項１記載の医薬組成物。
【請求項１９】
該オキサゾリジノンが、（Ｓ）−Ｎ−［［３−［３−フルオロ−４−（４−モルホリニル）フェニル]−２−オキソ−５−オキサゾリジニル］メチル］アセトアミドである請求項１８記載の医薬組成物。
【請求項２０】
糖尿病性足病変感染の予防または治療用の医薬を製造するための医薬上有効量のオキサゾリジノン化合物を含む組成物の使用。
【請求項２１】
該オキサゾリジノン化合物が、式：
【化２】
2005527575.tif 000002
［式中、Ａは、構造ｉ、ｉｉ、ｉｉｉまたはｉｖ
【化３】
2005527575.tif 000003
Ｂは、シクロアルキル、置換シクロアルキル、シクロアルケニル、置換シクロアルケニル、アリール、置換アリール、ｈｅｔおよび置換ｈｅｔから選択されるか、あるいは
Ｂおよび一つのＲ１は、Ｂおよびその一つのＲ１が結合するフェニル炭素原子と一緒になって、ｈｅｔを形成し、該ｈｅｔは所望により置換ｈｅｔであってもよく；
Ｘは、−ＣＨ２−ＮＨ−Ｃ（Ｏ）−Ｒ２、−ＣＨ２−Ｒ２および−ＣＨ２−Ｙ−Ｒ２から選択された基；
ＹはＯ、Ｓまたは−ＮＨ−；
Ｒ１は独立して、Ｈ、アルキル、アルコキシ、アミノ、ＮＯ２、ＣＮ、ハロ、置換アルキル、置換アルコキシおよび置換アミノから選択され；および
Ｒ２は独立して、Ｈ、−ＯＨ、アミノ、アルキル、置換アルキル、アルコキシ、置換アルコキシ、アルケニル、置換アルケニル、シクロアルキル、置換シクロアルキル、シクロアルケニル、置換シクロアルケニル、ｈｅｔ、置換ｈｅｔ、アリールおよび置換アリールから選択される］
であるか、またはその医薬上許容される塩である請求項２０記載の組成物の使用。
【請求項２２】
該オキサゾリジノン化合物が、式：
【化４】
2005527575.tif 000004
［式中、ＸはＮまたはＣＨ；
Ｒ９およびＲ１０は独立して、ＨまたはＦであって；
Ｒ８は、Ｈ、ベンジルまたは−Ｃ（＝Ｏ）Ｃ１−４アルキルである］
であるか、またはその医薬上許容される塩である請求項２０記載の組成物の使用。
【請求項２３】
該組成物が、アンピシリンを含まない請求項２０記載の組成物の使用。
【請求項２４】
該組成物が、第２の抗生物質を含まない請求項２０記載の組成物の使用。
【誤訳訂正書】
【提出日】平成18年4月6日(2006.4.6)
【誤訳訂正１】
【訂正対象書類名】明細書
【訂正対象項目名】００４６
【訂正方法】変更
【訂正の内容】
【００４６】
本発明の一つの好ましい態様において、前記コーティング組成物の成分が選択される前記Ａ，Ｂ及びＣ群は以下のものである：
⇒Ａ群
◇１Ａ−エチルセルロース及び／又はセルロースアセテート；
◇２Ａ−ポリアクリルアミド及び／又はポリビニルピロリドン；
◇３Ａ−ヒマシ油；
◇４Ａ−個別に、又はお互いの混合物として採用される、好ましくはステアリン酸及び／又はオレイン酸である脂肪酸のアルカリ金属又はアルカリ土類金属塩、ポリエトキシル化ソルビタンエステル、ポリエトキシル化ヒマシ油誘導体、ステアレート、好ましくはカルシウム、マグネシウム、アルミニウム、又は亜鉛のステアレート、ステアリルフマレート、好ましくはステアリルフマレートナトリウム、或いはグリセロールビヒネート；
⇒Ｂ群
◇１Ｂ
〜セルロースアセテート−フタレート；
〜ヒドロキシプロピルメチルセルロースフタレート；
〜ヒドロキシプロピルメチルセルロースアセテート−スクシネート；
〜（メタ）アクリル酸／（メタ）アクリル酸アルキル（メチル）エステル共重合体（ＥＵＤＲＡＧＩＴ（登録商標）Ｓ又はＬ）；
〜及び、それらの混合物；
◇２Ｂ
〜水素化植物ろう（Dynasan（登録商標）P60、Dynasan（登録商標）P116）；
〜トリグリセリド（トリステアリン、トリパルミチン、Lubritab（登録商標）、Cutina HR、その他）；
〜動物及び植物脂肪（みつろう、カルナウバろう、その他）；
〜及びそれらの混合物；
⇒Ｃ群
◇１Ｃ
〜水不溶性セルロース誘導体、特に好ましくはエチルセルロース及び／又はセルロースアセテート；
〜アクリル誘導体；
〜ポリビニルアセテート；
及びそれらの混合物；
◇２Ｃ
〜水溶性セルロース誘導体；
〜ポリアクリルアミド；
〜ポリ−Ｎ−ビニルアミド；
〜ポリ−Ｎ−ビニルラクタム；
〜ポリビニルアルコール（ＰＶＡ）；
〜ポリオキシエチレン（ＰＯＥ）；
〜ポリビニルピロリドン（ＰＶＰ）（これが好ましい）；
〜及びそれらの混合物；
◇３Ｃ
〜グリセロール及び、好ましくは次のサブグループからのそのエステル：アセチル化グリセリド、グリセロールモノステアレート、グリセリルトリアセテート、及びグリセロールトリブチレート；
〜好ましくは次のサブグループのフタレート：ジブチルフタレート、ジエチルフタレート、ジメチルフタレート、及びジオクチルフタレート；
〜好ましくは次のサブグループのサイトレート：アセチルトリブチルサイトレート、アセチルトリエチルサイトレート、トリブチルサイトレート、及びトリエチルサイトレート；
〜好ましくは次のサブグループのセバケート：ジエチルセバケート及びジブチルセバケート；
〜アジペート；
〜アゼラート；
〜ベンゾエート；
〜植物油；
〜フマレート、好ましくはジエチルフマレート；
〜マレート、好ましくはジエチルマレート；
〜オキサレート、好ましくはジエチルオキサレート；
〜スクシネート、好ましくはジブチルスクシネート；
〜ブチレート；
〜セチルアルコールエステル；
〜サリチル酸；
〜トリアセチン；
〜マロネート、好ましくはジエチルマロネート；
〜クチン；
〜ヒマシ油（これは特に好ましい）；
〜及びそれらの混合物；
◇４Ｃ
〜好ましくはステアリン酸及び／又はオレイン酸である脂肪酸のアルカリ金属又はアルカリ土類金属塩；
〜ポリエトキシル化油、好ましくはポリエトキシル化水素化ヒマシ油；
ポリオキシエチレン／ポリオキシプロピレン共重合体；
ポリエトキシル化ソルビタンエステル；
ポリエトキシル化ヒマシ油誘導体；
ステアレート、好ましくはカルシウム、マグネシウム、アルミニウム又は亜鉛のステアレート；
ステアリルフマレート、好ましくはステアリルフマレートナトリウム；
グリセロールビヒネート；
及びそれらの混合物。
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
以下の工程、（ａ）〜（ｄ）；
（ａ）母液および（メタ）アクリル酸の結晶を含む懸濁液を形成しながら、（メタ）アクリル酸を組成物から結晶化する工程、
（ｂ）（メタ）アクリル酸の結晶を母液から分離する工程、
（ｃ）分離された（メタ）アクリル酸の結晶の少なくとも一部を溶融し、溶融物を形成する工程、および
（ｄ）溶融物の一部を工程（ａ）または工程（ｂ）に再循環し、溶融物の再循環されない部分を分離された（メタ）アクリル酸とする工程、
を含む１段階からなるプロセスであって、（メタ）アクリル酸、少なくとも１種の不純物、および水を含み、水の含有量が０．５５〜９０重量％である組成物を、（メタ）アクリル酸および少なくとも１種の不純物を含み、不純物の含有量が（メタ）アクリル酸に対して７重量％未満である精製相に精製する方法。
【請求項２】
工程（ａ）で（メタ）アクリル酸の少なくとも一部を結晶化することで、表面上に少なくとも１個のくぼみがある結晶構造の結晶を形成し、該結晶構造がＩｂａｍ空間群の斜方晶系ブラベー結晶格子を有し、結晶データがａ＝９．９５２Å、ｂ＝１１．７６７Å、ｃ＝６．２０６Åであることを特徴とする請求項１に記載の方法。
【請求項３】
工程（ａ）で、母液が少なくとも６０重量％の（メタ）アクリル酸および水を含み、母液の水濃度が１０〜９０重量％であることを特徴とする請求項１または２に記載の方法。
【請求項４】
（メタ）アクリル酸の結晶が再循環された溶融物の対向流中で洗浄されることを特徴とする請求項１〜３のいずれか１項に記載の方法。
【請求項５】
溶融物が別の精製プロセスで精製されることを特徴とする請求項１〜４のいずれか１項に記載の方法。
【請求項６】
工程（ｂ）からの（メタ）アクリル酸の結晶の少なくとも一部が工程（ａ）に供給されることを特徴とする請求項１〜５のいずれか１項に記載の方法。
【請求項７】
工程（ｂ）で分離された母液の少なくとも一部が工程（ａ）に再循環されることを特徴とする請求項１〜６のいずれか１項に記載の方法。
【請求項８】
請求項１〜７のいずれか１項に記載の方法であって、各段階が工程（ａ）〜（ｄ）を含む少なくとも２段階からなり、次の特徴（α１）〜（α４）；
（α１）前記方法の第１段階からの分離された（メタ）アクリル酸の少なくとも一部を前記方法の第２段階に供給すること、
（α２）前記方法の第２段階からの分離された（メタ）アクリル酸の少なくとも一部を前記方法の第１段階に供給すること、
（α３）前記方法の第１段階からの母液の少なくとも一部を前記方法の第２段階に供給すること、および
（α４）前記方法の第２段階からの母液の少なくとも一部を前記方法の第１段階に供給すること、
のうち少なくとも１つが満たされていることを特徴とする方法。
【請求項９】
流体が運ばれるように互いに接続している構成部分として、（メタ）アクリル酸反応器と急冷吸収塔を含む（メタ）アクリル酸合成ユニット、および装置ユニットを含む精製装置を含み、該装置ユニットが次の特徴（δ１）〜（δ４）；
（δ１）装置ユニットが結晶化領域、分離領域、溶融装置、および少なくとも３つのガイドを含むこと、
（δ２）結晶化領域が第１ガイドにより分離領域に接続していること、
（δ３）分離領域が第２ガイドにより溶融装置に接続していること、および
（δ４）溶融装置が第３ガイドにより結晶化領域に接続しているか、第４ガイドにより分離領域に接続していること、
を含む（メタ）アクリル酸の製造装置であって、前記精製装置が、（メタ）アクリル酸、少なくとも１種の不純物、および水を含む組成物であって、水の含有量が組成物に対して０．５５〜９０重量％である組成物をガイドする入口を含むことを特徴とする装置。
【請求項１０】
（メタ）アクリル酸合成ユニットおよび精製装置が蒸留装置を持たずに互いに接続していることを特徴とする請求項９に記載の装置。
【請求項１１】
装置ユニットが別個の精製装置を含むものであることを特徴とする請求項９または１０に記載の装置。
【請求項１２】
分離領域が分離された（メタ）アクリル酸用の第１戻しラインにより結晶化領域に接続していることを特徴とする請求項９〜１１のいずれか１項に記載の装置。
【請求項１３】
分離領域が分離された母液用の第２戻しラインにより結晶化領域に接続していることを特徴とする請求項９〜１２のいずれか１項に記載の装置。
【請求項１４】
前記の特徴（δ１）〜（δ４）を有する、少なくとも１本の接続ラインで接続された少なくとも２つの装置ユニットを含み、前記接続ラインが供給ラインまたは戻しラインであり、以下の特徴（ε１）〜（ε４）； 
（ε１）第１装置ユニットの分離領域が接続ラインを通じて第２装置ユニットの結晶化領域に接続していること、
（ε２）第１装置ユニットの溶融装置が接続ラインを通じて第２装置ユニットの結晶化領域に接続していること、
（ε３）第２装置ユニットの分離領域が接続ラインを通じて第１装置ユニットの結晶化領域に接続していること、および
（ε４）第２装置ユニットの溶融装置が接続ラインを通じて第１装置ユニットの結晶化領域に接続していること、
のうち少なくとも１つが満たされていることを特徴とする請求項９〜１３のいずれか１項に記載の装置。
【請求項１５】
請求項９〜１４のいずれか１項に記載の（メタ）アクリル酸の製造装置および重合ユニットを含む（メタ）アクリル酸の重合装置であって、（メタ）アクリル酸の製造装置の精製装置が重合ユニットに接続していることを特徴とする装置。
【請求項１６】
請求項１０〜１４のいずれか１項に記載の装置内で行われることを特徴とする請求項１〜８のいずれかに記載の方法。
【請求項１７】
請求項１〜８および１６のいずれかに記載の方法により得られる（メタ）アクリル酸。
【請求項１８】
請求項１７に記載の（メタ）アクリル酸を重合することを特徴とする（メタ）アクリル酸をベースとする重合体の製造方法。
【請求項１９】
請求項１８に記載の方法により得られる重合体。
【請求項２０】
少なくとも請求項１７に記載の（メタ）アクリル酸または請求項１９に記載の重合体をベースとするか、またはそれを含む繊維、成形品、フィルム、発泡体、超吸収性ポリマー、廃水処理、分散染料、化粧品、織物、皮革処理、もしくは製紙の分野用の特殊ポリマー、または衛生用品。
【請求項２１】
請求項１７に記載の（メタ）アクリル酸または請求項１９に記載の重合体の繊維、成形品、フィルム、発泡体、超吸収性ポリマーもしくは衛生用品、洗剤、または廃水処理、分散染料、化粧品、織物、皮革処理、もしくは製紙の分野用の特殊ポリマーの製造における、あるいは製造のための使用。